(57)【要約】【課題】携帯の際に折り目が乱れることなく、嵩張って持ちにくくなることのないハンカチの提供。【解決手段】折り畳み可能な布である本体部５と、本体部５と接続している連結片６を有し、本体部５の所定の位置にボタン１０が設けられ、本体部５を折り畳んで連結片６をボタン１０によって連結すると、本体部５の折り畳み状態が保持される。【選択図】　図１
2004091982.tif 000002
【特許請求の範囲】
【請求項１】
折り畳み可能な布である本体部と、本体部と接続している連結片を有し、本体部の所定の位置に被連結部が設けられ、本体部を所定の状態に折り畳むと連結片と被連結部が連結可能となり、連結片と被連結部とを連結すると、本体部の折り畳み状態が保持されることを特徴とするハンカチ。
【請求項２】
前記連結片にはボタン孔が設けられ、被連結部はボタンであることを特徴とする請求項１に記載のハンカチ。
【請求項３】
本体部の形状は略正方形であることを特徴とする請求項１又は２に記載のハンカチ。
【請求項４】
前記連結片は、本体部の縁に位置していることを特徴とする請求項１〜３のいずれかに記載のハンカチ。
【請求項５】
前記連結片は、本体部を所定の状態に折り畳んだ状態における最後の折り目に対向する位置に設けられていることを特徴とする請求項１〜４のいずれかに記載のハンカチ。
【発明の詳細な説明】
【０００１】
【発明の属する技術分野】
本発明は、ハンカチに関するものである。
【０００２】
【従来の技術】
従来より、手ふきや汗拭き用の布としてハンカチが用いられている。そして、ハンカチは、綿、麻などの天然繊維や合成繊維などによってできた布を正方形などに切断し、端部のほつれ止めを行って作られる。
【０００３】
そして、ハンカチは、携帯されて用いられ、外出時の手洗いの後や汗をかいた後に水分を拭うのに用いられる。ハンカチは、２０ｃｍ〜４０ｃｍぐらいの大きさのものが多く、携帯する際には折り畳まれている。
【０００４】
【発明が解決しようとする課題】
上記したように、ハンカチは携帯する際に折り畳むが、携帯の際に折り目が乱れることがあった。そして、ハンカチの折り目が乱れると、しわが発生して見苦しく、ハンカチが嵩張って持ちにくくなってしまう。
また、デザイン上の面白味もなかった。
【０００５】
そこで、携帯の際に折り目が乱れることなく、嵩張って持ちにくくなることのないハンカチを提供することを課題とする。
【０００６】
【課題を解決するための手段】
そして、上記した目的を達成するための請求項１に記載の発明は、折り畳み可能な布である本体部と、本体部と接続している連結片を有し、本体部の所定の位置に被連結部が設けられ、本体部を所定の状態に折り畳むと連結片と被連結部が連結可能となり、連結片と被連結部とを連結すると、本体部の折り畳み状態が保持されることを特徴とするハンカチである。
【０００７】
請求項１に記載の発明によれば、本体部を所定の状態に折り畳んで、本体部と接続している連結片と被連結部を連結することにより、本体部の折り畳み状態が保持されるので、携帯の際に折り目が乱れることない。
【０００８】
請求項２に記載の発明は、前記連結片にはボタン孔が設けられ、被連結部はボタンであることを特徴とする請求項１に記載のハンカチである。
【０００９】
請求項２に記載の発明によれば、前記連結片にはボタン孔が設けられ、被連結部はボタンであるので、連結片及び被連結部を容易に設けることができる。
【００１０】
請求項３に記載の発明は、本体部の形状は略正方形であることを特徴とする請求項１又は２に記載のハンカチである。
【００１１】
請求項３に記載の発明によれば、本体部の形状は略正方形であるので、折り畳みやすい。
【００１２】
請求項４に記載の発明は、前記連結片は、本体部の縁に位置していることを特徴とする請求項１〜３のいずれかに記載のハンカチである。
【００１３】
請求項４に記載の発明によれば、前記連結片は、本体部の縁に位置しているので、ハンカチを使用する際に、連結片が邪魔になりにくく、使いやすい。
【００１４】
請求項５に記載の発明は、前記連結片は、本体部を所定の状態に折り畳んだ状態における最後の折り目に対向する位置に設けられていることを特徴とする請求項１〜４のいずれかに記載のハンカチである。
【００１５】
請求項５に記載の発明によれば、前記連結片は、本体部を所定の状態に折り畳んだ状態における最後の折り目に対向する位置に設けられているので、連結片と被連結部とを連結すると、より確実にハンカチを折り畳んだ状態で保持することができる。
【００１６】
【発明の実施の形態】
以下さらに本発明の具体的実施例について説明する。図１は、本発明の実施形態におけるハンカチの正面図である。図２〜図４は、本発明の実施形態におけるハンカチの折り畳む際の状態を示した正面図である。図５は、本発明の実施形態におけるハンカチの折り畳む際の状態を示した正面図と背面図である。図６は、本発明の実施形態におけるハンカチの折り畳んで保持した状態を示した正面図である。図７は、本発明の実施形態の変形例におけるハンカチの折り畳んで保持した状態を示した正面図である。
【００１７】
本発明の実施形態におけるハンカチ１は、図１に示されており、本体部５と連結片６が設けられている。
【００１８】
本体部５は、従来技術におけるハンカチと同様であり、形状は略正方形である。また、本体部５には、被連結部たるボタン１０が２個設けられている。
連結片６は、長方形であり、本体部５の縁に接続している。連結片６には、ボタン孔１１が２カ所設けられ、ボタン孔１１の位置は、本体部５との接続部分１３とは反対側の位置である本体部５よりも外側に位置している。また、ボタン孔１１の大きさは、本体部５のボタン１０に合わせた大きさとなっている。また、本体部５及び連結片６は、同じ材質の布が用いられている。
【００１９】
図１には、ハンカチ１を折り畳む際の折り目３１を図示している。
ハンカチ１は、折り目３１により１６分割されて、同じ大きさの分割片３３が１６個有している。そして、連結片６の位置は、角の位置の分割片３３に接続しており、また、ボタン１０の位置は、連結片６に接続する分割片３３の隣の分割片３３に設けられている。
【００２０】
そして、ハンカチ１は、以下に示されるように、折り畳んだ状態で保持することができる。
まず、ハンカチ１を折り目３１に沿って、図１の状態から半分に折り図２に示すような状態とする。このとき、ボタン１０が外側になるようにする。
そして、図２に示す状態からハンカチ１を半分に折って図３に示す状態とし、さらにハンカチ１を半分に折って図４に示す状態のようにする。図４の状態では、ボタン１０が外側であり、また、連結片６の本体部５のと接続部分１３が、ボタン１０と同じ側の面となっている。
【００２１】
さらに、連結片６の本体部５のと接続部分とボタン１０との間でハンカチ１を半分に折って折り畳みが終了する。このときの折り目３１が最後の折り目３０となり、図５に示す状態となる。そして、図５の状態では最初の状態から比較すると、一辺が１／４であり、面積が１／１６となっている。また、連結片６の本体部５のと接続部分１３と、ボタン１０とは、互いに裏表の関係となる。
【００２２】
ボタン１０を連結片６のボタン孔１１に入れて連結し、図６の状態となる。このとき、連結片６の位置は、最後の折り目３０に対向する位置であり、確実にハンカチを折り畳んだ状態で保持することができる。
【００２３】
そして、ハンカチ１を携帯するなどの場合には、折り畳んだ状態で保持することができ、使用するときには、ボタン１０を外して、通常のハンカチと同様に使用することができる。
また、連結片６やボタン１０により、デザイン上の変化を付けることができ、デザイン的にも面白いものとなる。
【００２４】
本発明におけるハンカチ１の本体部５の形状及び大きさは、どのようなものでもよく、長方形状や円形状でもよい。また、連結片６の形状及び大きさ、ボタン１０の大きさ及び配置は、変更が可能であり、例えば、図７に示されるように、連結片６の長さが長いハンカチ２でもよい。
さらに、被連結部は、ボタン１０に限られるものでなく、連結片６と連結可能であればどのようなものでもよく、面ファスナやフックなどでもよい。
【００２５】
【発明の効果】
本発明のハンカチは、携帯の際に折り目が乱れることなく、嵩張って持ちにくくなることがない。
【図面の簡単な説明】
【図１】本発明の実施形態におけるハンカチの正面図である。
【図２】本発明の実施形態におけるハンカチの折り畳む際の状態を示した正面図である。
【図３】本発明の実施形態におけるハンカチの折り畳む際の状態を示した正面図である。
【図４】本発明の実施形態におけるハンカチの折り畳む際の状態を示した正面図である。
【図５】本発明の実施形態におけるハンカチの折り畳む際の状態を示した図であり、（ａ）が正面図、（ｂ）が背面図である。
【図６】本発明の実施形態におけるハンカチの折り畳んで保持した状態を示した正面図である。
【図７】本発明の実施形態の変形例におけるハンカチの折り畳んで保持した状態を示した正面図である。
【符号の説明】
１、２　ハンカチ
５　　本体部
６　　連結片
１０　ボタン
１１　ボタン孔
３０　最後の折り目
【図１】
2004091982.tif 000003
【図２】
2004091982.tif 000004
【図３】
2004091982.tif 000005
【図４】
2004091982.tif 000006
【図５】
2004091982.tif 000007
【図６】
2004091982.tif 000008
【図７】
2004091982.tif 000009